(57)【要約】【課題】安置する場所を選ばず、故人の遺影等を謹んで奉ることのできるメモリアル祭壇を提供する。【解決手段】メモリアル祭壇１は、中空部２を有する陶磁殻体３に、中空部２を陶磁殻体３の正面に開放する礼拝口４、及び中空部２に外光を導入できる採光口５を形成し、中空部２を礼拝口４の下縁４１の付近で上下に仕切る底板材６が、陶磁殻体３に内装されたものである。メモリアル祭壇１が部屋の片隅等に置かれても、その周囲の状況に左右されること無く、礼拝対象物を奉ることができる。また、陶磁殻体３の有する独特の質感は、礼拝者に安堵感を覚えさせ、同時に礼拝対象物と自然との一体感を醸し出せる。【選択図】図１
2007117156.tif 000002
【特許請求の範囲】
【請求項１】
礼拝対象物を安置するための中空部を有する陶磁殻体に、前記中空部を開放する礼拝口を形成したことを特徴とするメモリアル祭壇。
【請求項２】
中空部を有する陶磁殻体に、前記中空部を前記陶磁殻体の正面に開放する礼拝口、及び前記中空部に外光を導入できる採光口を形成したことを特徴とするメモリアル祭壇。
【請求項３】
前記中空部を照明する照明手段を備えることを特徴とする請求項１又は２に記載のメモリアル祭壇。
【請求項４】
前記陶磁殻体、又は前記礼拝対象物に香料が含浸されていることを特徴とする請求項１乃至３の何れかに記載のメモリアル祭壇。
【請求項５】
前記礼拝口が下縁を有し、前記中空部を前記礼拝口の下縁付近で上下に仕切る底板材を、前記陶磁殻体に内装したことを特徴とする請求項１乃至４の何れかに記載のメモリアル祭壇。
【請求項６】
前記中空部の前記底板材の下側を収納部としたことを特徴とする請求項５に記載のメモリアル祭壇。
【請求項７】
前記陶磁殻体が、その表面を陶磁器に模擬した材料から成ることを特徴とする請求項１乃至６の何れかに記載のメモリアル祭壇。
【発明の詳細な説明】
【技術分野】
【０００１】
本発明は、仏事、神事、又は故人を偲ぶ拠り所となるメモリアル祭壇に関する。
【背景技術】
【０００２】
特許文献１は、故人の喉仏等の遺骨を陶器等の収容器に収容し、この収容器を持ち運び可能な故人の守本尊等の仏像や神像の形象体、又はこれらに模擬した形象体に収納して家庭の床や飾り棚等に容易に安置できるものを開示している。特許文献２は、収容空間を内部に有する祠本体（容器本体）と、この祠本体の収容空間に収容された断熱部材と、この断熱部材により断熱された仏像とを備え、仏像が金絵付けされた本焼きの陶磁器から形成されたものを開示している。
【特許文献１】特開２００４−１９５０４４号公報
【特許文献２】特開２００３−１２５９２２号公報
【発明の開示】
【発明が解決しようとする課題】
【０００３】
仏壇や神棚のような祭壇の担う役割は、神仏を崇める空間を日常の生活圏から区別することに加え、故人又は愛玩動物の形見や遺影を奉ることも重要である。また、祭壇を仏間に安置し、又は祭壇を棚や押入れの中に安置する等して、祭壇と生活圏とを厳格に分離することが望ましい。しかしながら、昨今の狭い住宅事情では、祭壇は部屋の片隅に置かれることを余儀なくされるため、その周囲の雑然とした中に、祭壇が本来醸し出す聖なる領域を確保するのは難しい。
【０００４】
そこで、本発明の目的は、安置する場所を選ばず、故人の遺影等を謹んで奉ることのできるメモリアル祭壇を提供することにある。
【課題を解決するための手段】
【０００５】
本発明に係るメモリアル祭壇は、礼拝対象物を安置するための中空部を有する陶磁殻体に、前記中空部を開放する礼拝口を形成したことを特徴とする。
【０００６】
また、本発明に係るメモリアル祭壇は、中空部を有する陶磁殻体に、前記中空部を前記陶磁殻体の正面に開放する礼拝口、及び前記中空部に外光を導入できる採光口を形成したことを特徴とする。
【０００７】
更に、本発明に係るメモリアル祭壇は、前記中空部を照明する照明手段を備えることを特徴とする。
【０００８】
更に、本発明に係るメモリアル祭壇は、前記陶磁殻体、又は前記礼拝対象物に香料が含浸されていることを特徴とする。
【０００９】
更に、本発明に係るメモリアル祭壇は、前記礼拝口が下縁を有し、前記中空部を前記礼拝口の下縁付近で上下に仕切る底板材を、前記陶磁殻体に内装したことを特徴とする。
【００１０】
更に、本発明に係るメモリアル祭壇は、前記中空部の前記底板材の下側を収納部としたことを特徴とする。
【００１１】
更に、本発明に係るメモリアル祭壇は、前記陶磁殻体がその表面を陶磁器に模擬した材料から成ることを特徴とする。
【発明の効果】
【００１２】
本発明に係るメモリアル祭壇に対面しながら当該メモリアル祭壇を拝見、又は観賞する礼拝者は、礼拝口から陶磁殻体の中空部を覗き込むことができる。このとき、礼拝者は中空部をある種の閉塞空間に観立てることができるので、例えば仏像、遺影、形見、十字架、香炉、線香立て、花立て、又は戒名や梵字が書かれた短冊等を中空部に安置すれば、これらの礼拝対象物が生活圏から隔絶された聖域に奉られたイメージを、礼拝者は喚起されることになる。従って、当該メモリアル祭壇は、部屋の片隅、床の間、押入れ、玄関、廊下、又は棚等の何処に置かれても、その周囲の状況に左右されること無く、礼拝対象物を奉ることができる。
【００１３】
また、陶磁殻体の材料は、例えば陶土、粘度、又はこれらに砂等を混入した土から成るので、古より人が辿り着くとされる土への回帰を象徴するものとして、陶磁殻体は礼拝者の視覚に捉えられる。このような陶磁殻体の有する独特の質感は、礼拝者に安堵感を覚えさせると同時に、礼拝対象物と自然との一体感を醸し出すことができる。また、陶磁殻体の外観は、この周囲の家具、壁、床、柱、又は日用品等のデザインにも調和するので、当該メモリアル祭壇は、インテリア、又は工芸品としても高い価値を奏する。
【発明を実施するための最良の形態】
【００１４】
本発明の実施形態に係るメモリアル祭壇について図面を参照しながら説明する。また、以下の各実施例で共通の要素には、同じ呼称又は同じ符号を用いるものとする。
【実施例１】
【００１５】
図１，２に示すように、メモリアル祭壇１は、中空部２を有する陶磁殻体３に、中空部２を陶磁殻体３の正面に開放する礼拝口４、及び中空部２に外光を導入できる採光口５を形成し、礼拝口４の下縁４１の付近で中空部２を上下に仕切る底板材６を、陶磁殻体３に内装したものである。
【００１６】
陶磁殻体３は、例えば陶土、粘度、又はこれらに砂等を混入した土から成る原料を焼成することにより製造できるドーム状の陶磁器である。陶磁殻体３が土を象徴するものとして印象強く礼拝者の視覚に捉えられるように、陶磁殻体３の表面は滑らかに仕上げるよりも、不規則な凹凸を積極的に形成し、又は砂等の粒を浮き出させるのが好ましい。陶磁殻体３の正面とは、礼拝者がメモリアル祭壇１に対面するときに、礼拝者の方へ向けられる陶磁殻体３の胴部に相当する。
【００１７】
礼拝口４の形状、又は開口寸法は図示のように限定されるものではない。礼拝口４は、礼拝者がメモリアル祭壇１を直視したときに、陶磁殻体３の中空部２を一目で見渡せるよりも、礼拝者の視線を礼拝口４の周縁部で適度に遮ることが好ましい。言い換えると、礼拝者が礼拝口４を覗き込むことによって初めて中空部２の全貌が明らかになることが好ましい。図３に示すように、底板材６は、円形の薄板であり、その周縁部が陶磁殻体３の両側に形成した掛止口７に各々掛止めされた状態で、陶磁殻体３に水平姿勢で位置決めされる。底板材６の上面には、１つ又は複数の礼拝対象物８が載せられる。
【００１８】
礼拝対象物８としては、例えば地蔵８１、遺影を納めた写真立て８２、花瓶８３、又は短冊８４の他、仏像、形見、十字架、香炉、花立て、又は線香立て等が挙げられる。符号８５は、短冊８４を陶磁殻体３の内面に引っ掛けるためのフックを指している。
【００１９】
図１，３に示すように、底板材６の位置を礼拝口４の下縁４１よりも少し低くしておけば、礼拝者は礼拝口４から底板材６の下側を覗き見ることはできない。この場合、底板材６の下側を、例えば骨壷８６、遺髪、秘仏、又は形見等を収納するための収納部９として利用できる。また、収納部９を開放するときは、礼拝対象物８を底板材６の上面から取り除いた後、底板材６を持ち上げれば良い。礼拝口４の上下方向の寸法は、底板材６の直径よりも長く設定されているので、上記のように持ち上げた底板材６を起立させれば、このまま底板材６を礼拝口４に通過させて、陶磁殻体３の外側へ引き出すこともできる。また、陶磁殻体３の下部に、収納部９を開閉できる扉等を設けても良い。
【００２０】
採光口５の形状、又は開口寸法は図示のように限定されるものではないが、採光口５は、礼拝口４より更に小さな開口寸法に設定されることが好ましい。また、透光パネルや障子紙で採光口５を塞いでも良く、或いは、陶磁殻体３の適所に多数の小孔を打抜き、これらの小孔を通して外光を中空部２に採り入れても良い。外光とは、自然光、又は陶磁殻体３の周囲に照明等がある場合はその光を意味する。
【００２１】
以上に述べたメモリアル祭壇１によれば、礼拝口４から陶磁殻体３の中空部２を覗き込む礼拝者は、中空部２をある種の閉塞空間に観立てることができる。しかも、中空部２に採光口５から射し込む外光は、中空部２に安置された礼拝対象物８の姿を適度に照らすので、礼拝対象物８の深遠な趣が強調される。これらの相乗効果により、礼拝者は、礼拝対象物８が生活圏から隔絶された聖域に奉られたイメージを喚起されることになる。従って、メモリアル祭壇１が部屋の片隅等に置かれたとしても、その周囲の状況に左右されること無く、礼拝対象物８を謹んで奉ることができる。
【００２２】
また、陶磁殻体３（陶磁器）の有する独特の質感は、礼拝者に安堵感を覚えさせると同時に、礼拝対象物８と自然との一体感を醸し出すことができる。更には陶磁殻体３の内部が胎内を想起させる。また、陶磁殻体３の外観は、この周囲に家具、壁、床、柱、又は日用品等が有る場合には、これらのデザインに調和するので、メモリアル祭壇１は、インテリア、工芸品、又は装飾品としても高い価値を奏する。
【実施例２】
【００２３】
図４に示すように、メモリアル祭壇１０は、例えば赤、青、紫、黄、緑、又は白色の光を発光できるＬＥＤ、蛍光灯、又は白熱電球を主体とする照明手段１１を、中空部２に内装したものである。
【００２４】
照明手段１１に電気を供給する電線１３は、陶磁殻体３の適所に形成された挿通孔３０を通して、陶磁殻体３の外部から中空部２へ引き込まれている。照明手段１１を陶磁殻体３の内面に取付けるためのステー等については図示は省略しているが、照明手段１１を陶磁殻体３に紐等を用いて吊り下げても良い。照明手段１１に電気を供給するのが難しい場合は、蝋燭１４を照明手段１１として代用することもできる。
【００２５】
底板材６が透光材から成るものであれば、照明手段１１を収納部９に配置して、礼拝対象物８をその下側から照らすようにしても良く、或いは、般若真経の音声を再生できるＭＤプレーヤ等を収納部９に収納しても良い。また、切花１２を活かすための水９１を収納部９に貯水し、底板材６に切花１２を差すための貫通孔６０を形成しても良い。
【００２６】
照明手段１１が上記の白熱電球、又は蝋燭１４のように発熱するものである場合、このような照明手段１１の放熱により昇華する香料を、陶磁殻体３に含浸させておけば、次の利点が得られる。
【００２７】
即ち、照明手段１１の放熱により暖められる空気が中空部２を上昇し、採光口５を経て陶磁殻体３の外部へ放出するのと同時に、陶磁殻体３の外部から新たな空気が礼拝口４及び掛止口７を経て中空部２へ進入する。この過程で、照明手段１１の放熱により昇華した香料は、暖められた空気と共に陶磁殻体３の外部へ放出するので、中空部２に殆ど滞留することがない。従って、礼拝者が照明手段１１を点灯させるだけで、陶磁殻体３から香りが速やかに陶磁殻体３の周囲に放たれるので、礼拝者は線香等を用意しなくて済む。そして、礼拝を終えたところで、礼拝者が照明手段１１を消灯すれば、その後は香りが絶たれ、香料が無駄に消費されることはない。
【実施例３】
【００２８】
愛玩動物の遺影を奉る等の場合は、その生前の姿に相応しい小型の陶磁殻体３１を適用しても良い。この場合、図５に示すように、上記の採光口及び収納部を省略し、陶磁殻体３１に礼拝口４だけを形成しても良い。陶磁殻体３１は、実施例１で述べたものに比較して構造が簡単であり、しかも安価に製造することができる。この他の構成は実施例１，２と同様である。
【実施例４】
【００２９】
以上に述べた陶磁殻体の外形は任意であるが、何らかのモチーフを象ったものでも良い。図６に示すように、陶磁殻体３２は、角柱部１５と、その両側に突出する左右の翼部１６，１７とを備える。角柱部１５の正面には礼拝口４が形成され、角柱部１５の上端には採光口５が形成されている。更に、採光口５にステンドグラス５１を嵌め込んでも良い。
【実施例５】
【００３０】
図７に示すように、陶磁殻体３３は、徳利を象ったものでも良く、或いは、既成の徳利の胴部に、礼拝口４を刳り貫いたものでも良い。この場合、徳利の口が採光口５の役割を果たす。また、陶磁殻体３３が、陶磁器に模擬した陶磁器以外の材料から成るものであっても良い。例えば、陶磁殻体３３の材料が、ガラスやアクリル系樹脂のような透明なものであれば、その表面の一部又は全部に、恰も陶磁器のような色彩を施しても良い。
【００３１】
尚、本発明は、その趣旨を逸脱しない範囲で当業者の知識に基づいて種々なる改良、修正、変形を加えた態様で実施できる。例えば、礼拝口を２箇所以上に増やしても良い。照明手段を陶磁殻体の外部に取付けても良い。また、木材、金属、モルタル、天然石、又はゴム等を陶磁殻体の材料として適用しても良い。
【００３２】
また、図８に示すように、地蔵８１の奉台８７に、照明手段１１、バッテリー、及び電源スイッチを設け、地蔵８１に照明手段１１の放熱により昇華する香料を含浸させても良い。この場合、照明手段１１の光が香料皿１９の下側から漏れることが好ましい。或いは、図９に示すように、地蔵８１の奉台８７に、電気的発熱手段１８によって加熱できる香料皿１９を内臓し、香料皿１９に載せられた香料２０から昇華又は蒸発する香りを、奉台８７の小孔２１から放つようにしても良い。また、香料２０として、香木や線香を適用しても良いが、ジャスミン葉、ラベンダ花弁、香油等、又はこれらを適当に組合せたものを図８，９に示す香料皿１９に載せれば、アロマセラピによる癒しの効果を実現できる。
【産業上の利用可能性】
【００３３】
本発明に係るメモリアル祭壇は、住宅のような私的な場所に安置するだけでなく、葬儀会場や集団墓地に据付ても良い。
【図面の簡単な説明】
【００３４】
【図１】本発明の実施例１に係るメモリアル祭壇の斜視図。
【図２】本発明の実施例１に係るメモリアル祭壇の一部を破断した斜視図。
【図３】本発明の実施例１に係るメモリアル祭壇の使用例を示す破断斜視図。
【図４】本発明の実施例２に係るメモリアル祭壇の使用例を示す破断斜視図。
【図５】本発明の実施例３に係るメモリアル祭壇の斜視図。
【図６】本発明の実施例４に係るメモリアル祭壇の斜視図。
【図７】本発明の実施例５に係るメモリアル祭壇の斜視図。
【図８】本発明の各実施例で適用できる礼拝対象物の変形例を一部破断して示す斜視図。
【図９】本発明の各実施例で適用できる礼拝対象物の更なる変形例を一部破断して示す斜視図。
【符号の説明】
【００３５】
１，１０：メモリアル祭壇
２：中空部
３，３１，３２，３３：陶磁殻体
４：礼拝口
５：採光口
６：底板材
８：礼拝対象物
９：収納部
１１：照明手段
４１：下縁
【図１】
2007117156.tif 000003
【図２】
2007117156.tif 000004
【図３】
2007117156.tif 000005
【図４】
2007117156.tif 000006
【図５】
2007117156.tif 000007
【図６】
2007117156.tif 000008
【図７】
2007117156.tif 000009
【図８】
2007117156.tif 000010
【図９】
2007117156.tif 000011